(57)【特許請求の範囲】
【請求項１】
レンズ体が保持されるレンズ保持部材と、
前記レンズ保持部材を光軸方向に移動可能に支持する板バネと、
前記板バネを固定すると共に、金属部材を部分的に露出するように設けたベース部材とを備え、
レーザカットによる前記板バネからの枠体の切り離しによって前記板バネに形成された切断部位が、前記金属部材から上方に離間した位置に存在しており、
前記切断部位に対向する位置に、前記ベース部材から露出した前記金属部材が配置されることを特徴とするレンズ駆動装置。
【請求項２】
前記ベース部材は、前記切断部位に対向する金属部材の下面を下方空間に露出していることを特徴とする請求項１に記載のレンズ駆動装置。
【請求項３】
前記レンズ保持部材に取り付けられたコイルと、
前記レンズ保持部材を囲うヨークと、
前記ヨークと共に前記コイルに作用する磁気回路を形成する磁性部材とを備え、
前記金属部材が、前記ヨークに接続されることを特徴とする請求項１又は請求項２に記載のレンズ駆動装置。
【請求項４】
レンズ体が保持されるレンズ保持部材を板バネにより支持させ、金属部材を部分的に露出するようにベース部材に設けたレンズ駆動装置の製造方法であって、
枠体に繋ぎ部を介して繋がれた前記板バネを前記ベース部材に固定する工程と、
前記金属部材から上方に離間した位置の前記繋ぎ部において、前記板バネから前記枠体をレーザカットによって切り離すと共に、前記板バネに切断部位を形成する工程とを有し、
前記切断部位に対向する位置に、前記ベース部材から露出した前記金属部材が配置されていることを特徴とするレンズ駆動装置の製造方法。
【発明の詳細な説明】
【技術分野】
【０００１】
本発明は、カメラ付きの携帯電話等に搭載される小型のレンズ駆動装置及びレンズ駆動装置の製造方法に関する。
【背景技術】
【０００２】
従来、小型のレンズ駆動装置として、レンズが保持されたレンズ保持部材を光軸方向に磁気駆動するものが知られている（例えば、特許文献１参照）。特許文献１に記載のレンズ駆動装置では、外周面にコイルを巻回したレンズ保持部材をベース部材に載置し、上方からヨークを被せることで構成される。ヨークの各側壁部の内側面には、それぞれ磁石が固定されており、レンズ保持部材に保持されたコイルの周囲に磁石が位置付けられている。また、ベース部材とレンズ保持部材との間には、レンズ保持部材を復帰させる板バネが配置されている。そして、レンズ駆動装置は、ヨークと磁石とによって磁気回路を形成し、コイルの通電によって生じる電磁力により板バネの付勢力に抗してレンズ保持部材を光軸方向に移動させている。
【先行技術文献】
【特許文献】
【０００３】
【特許文献１】特開２０１０−２８６５３２号公報
【発明の概要】
【発明が解決しようとする課題】
【０００４】
ところで、薄い金属板により板バネが形成されている場合には、板バネからフープ材（枠体）を切り離す際に、板バネにクセが付いて平坦度が悪化するおそれがある。このため、フープ材に連結された板バネをベース部材に固定した状態で、レーザカットによりフープ材から切り離す方法が考えられる。しかしながら、レーザ光線がベース部材の樹脂成形部分に照射されると、ベース部材の一部が焦げて発塵源が形成されるという問題があった。
【０００５】
本発明はこのような実情に鑑みてなされたものであり、ベース部材に固定された枠付きの板バネから、発塵源を形成することなく枠体を切り離すことができるレンズ駆動装置及びレンズ駆動装置の製造方法を提供することを目的とする。
【課題を解決するための手段】
【０００６】
本発明のレンズ駆動装置は、レンズ体が保持されるレンズ保持部材と、前記レンズ保持部材を光軸方向に移動可能に支持する板バネと、前記板バネを固定すると共に、金属部材を部分的に露出するように設けたベース部材とを備え、レーザカットによる前記板バネからの枠体の切り離しによって前記板バネに形成された切断部位が、前記金属部材から上方に離間した位置に存在しており、前記切断部位に対向する位置に、前記ベース部材から露出した前記金属部材が配置されることを特徴とする。
【０００８】
本発明のレンズ駆動装置の製造方法は、レンズ体が保持されるレンズ保持部材を板バネにより支持させ、金属部材を部分的に露出するようにベース部材に設けたレンズ駆動装置の製造方法であって、枠体に繋ぎ部を介して繋がれた前記板バネを前記ベース部材に固定する工程と、前記金属部材から上方に離間した位置の前記繋ぎ部において、前記板バネから前記枠体をレーザカットによって切り離すと共に、前記板バネに切断部位を形成する工程とを有し、前記切断部位に対向する位置に、前記ベース部材から露出した前記金属部材が配置されていることを特徴とする。
【０００９】
これらの構成によれば、金属部材の上方において板バネから枠体が切り離される。よって、レーザカットによって板バネから枠体を切り離す場合には、レーザ光線が金属部材上に照射されるため、樹脂等で成形されたベース部材の一部が焦げて発塵源になるおそれがない。また、枠体と板バネとがベース部材上で切り離されるため、板バネの切断痕を短く形成することができる。
【００１０】
また本発明は、上記レンズ駆動装置において、前記ベース部材は、前記切断部位に対向する金属部材の下面を下方空間に露出している。この構成によれば、レーザ光線が照射された金属部材が発熱しても、金属部材の下面からベース部材に熱が伝わりにくくなる。よって、樹脂等で成形されたベース部材の一部が発塵源になることを効果的に抑制できる。
【００１１】
また本発明は、上記レンズ駆動装置において、前記レンズ保持部材に取り付けられたコイルと、前記レンズ保持部材を囲うヨークと、前記ヨークと共に前記コイルに作用する磁気回路を形成する磁性部材とを備え、前記金属部材が、前記ヨークに接続されている。この構成によれば、ヨークに接続される金属部材を利用して、ベース部材に発塵源を形成することなく板バネから枠体を切り離すことができる。
【００１２】
また本発明は、上記レンズ駆動装置において、前記切断部位が、前記金属部材から上方に離間した位置に存在している。この構成によれば、ヨークに接続された金属部材から離間した位置で枠体から板バネが切り離されるため、ヨークと板バネとの導通を防止できる。
【発明の効果】
【００１３】
本発明によれば、ベース部材に固定された枠付きの板バネから、発塵源を形成することなく枠体を切り離すことができる。
【図面の簡単な説明】
【００１４】
【図１】本発明に係るレンズ駆動装置の実施の全体斜視図である。
【図２】本実施の形態に係るレンズ駆動装置の分解斜視図である。
【図３】本実施の形態に係るバネ片からフープ材を切り離す前のロアケース及びバネ片の平面模式図である。
【図４】本実施の形態に係るバネ片からフープ材を切り離した後のロアケース及びバネ片の平面模式図である。
【図５】本実施の形態に係るレンズ駆動装置の組み立て作業の前半の説明図である。
【図６】本実施の形態に係るレンズ駆動装置の組み立て作業の後半の説明図である。
【図７】本実施の形態に係るレンズ駆動装置の動作説明図である。
【発明を実施するための形態】
【００１５】
以下、本発明の実施の形態について添付図面を参照して詳細に説明する。なお、以下のレンズ駆動装置は一例であり、これに限定されるものではない。レンズ駆動装置において、板バネからフープ材を切り離す構成であれば本発明を適用可能である。
【００１６】
図１は、本実施の形態に係るレンズ駆動装置の全体斜視図である。図２は、本実施の形態に係るレンズ駆動装置の分解斜視図である。
【００１７】
図１及び図２に示すように、レンズ駆動装置１は、イメージセンサ（不図示）を実装した基板上に取り付けられており、イメージセンサに対してレンズ体（不図示）を光軸方向に駆動させて焦点距離を調整するものである。レンズ駆動装置１においては、外部端子３１が埋設されたロアケース２（ベース部材）上に、下板バネ４（板バネ）を介してレンズ保持部材５が取り付けられている。レンズ保持部材５の周囲には、コイル５９が巻回されており、このコイル５９を覆うように磁石６付きのヨーク７がロアケース２に固定される。ヨーク７の上面には、上板バネ８を介してトップカバー９が取り付けられる。
【００１８】
ロアケース２は、合成樹脂によって上面視において略矩形枠状に形成されている。ロアケース２の中央には、円形の開口部２１が形成されており、この開口部２１を介して基板上のイメージセンサを上方に露出させている。ロアケース２の４隅には、下板バネ４の固定用の突起部２４が形成されている。突起部２４により、ロアケース２上において下板バネ４が前後左右に位置決めされた状態で取り付けられる。
【００１９】
また、ロアケース２には、導電性の金属プレート２５（金属部材）がインサート成形されている。金属プレート２５は、ロアケース２の４隅において露出され、ヨーク７の４隅に電気的に接続される。また、ロアケース２の隣接する２隅近傍には、一対の外部端子３１がインサート成形されている。一対の外部端子３１は、導電性の金属板を折り曲げて形成され、上板部３２がロアケース２の上面から露出され、側板部３３がロアケース２の下面から突出されている。ロアケース２から露出した一対の外部端子３１の上板部３２は、下板バネ４に電気的に接続される。なお、金属プレート２５と外部端子３１とは電気的に接続されていない。
【００２０】
下板バネ４は、導電性のリン青銅等によって形成され、一対のバネ片４１により構成されている。一対のバネ片４１は、ロアケース２の開口部２１に沿うように中央に開口を形成するように配置される。各バネ片４１は、径方向外側に位置する外側板部４２と、径方向内側に位置する内側板部４３と、外側板部４２及び内側板部４３を接続する蛇行形状のバネ板部４４とを有している。外側板部４２には、ロアケース２の突起部２４に対応して挿通孔４６が形成され、内側板部４３には、レンズ保持部材５の突起部５６（図５Ｄ参照）に対応して挿通孔４５が形成されている。
【００２１】
外側板部４２は、挿通孔４６からロアケース２の突起部２４を突出させて、突起部２４の熱カシメによりロアケース２に固定される。内側板部４３は挿通孔４５からレンズ保持部材５の突起部５６を突出させて、突起部５６の熱カシメによりレンズ保持部材５に固定される。このように、ロアケース２とレンズ保持部材５は、下板バネ４を介して連結される。また、各バネ片４１のバネ板部４４は、レンズ保持部材５に対してロアケース２側に向けて付勢力を作用させている。また、一対のバネ片４１は、それぞれ一対の外部端子３１に電気的に接合されると共に、コイル５９の端部に電気的に接合されている。
【００２２】
レンズ保持部材５は、合成樹脂により形成され、内周面に雌ねじ部５１が形成された筒状部５２と、筒状部５２の下端部から径方向外側に突出したフランジ部５３とを有している。筒状部５２の内側には、外周面に雄ねじ部が形成されたレンズユニット（不図示）が装着される。筒状部５２の外周面には、コイル５９を内側から支持する４つのコイル支持部５４が突出して形成されている。筒状部５２に設けたコイル支持部５４に、導線が巻回されることで筒状のコイル５９が形成される。この場合、コイル５９と筒状部５２との間には、後述するヨーク７の内壁部７４が介在する隙間が形成されている。
【００２３】
レンズ保持部材５の下部には、下板バネ４の固定用の複数の突起部５６と、コイル５９の両端部が巻きつけられる一対の絡げピン５７とが形成されている（図５Ｄ参照）。コイル５９の一端部は、一方の絡げピン５７に巻き付けられた状態で一方のバネ片４１に接合され、コイル５９の他端部は、他方の絡げピン５７に巻き付けられた状態で他方のバネ片４１に接合されている。また、レンズ保持部材５の下部には、ロアケース２に当接される４つの脚部５８が形成されている。
【００２４】
ヨーク７は、下面を開口した箱型であり、上壁部７１にレンズ保持部材５の筒状部５２を露出する窓部７２が形成されている。また、ヨーク７には、上面視矩形状の外周壁部７３の四隅に対して間隔を空けて対向する４つの内壁部７４が形成されている。各内壁部７４は、コイル５９と筒状部５２との隙間に挿通される。外周壁部７３の内周面の四隅には、それぞれ磁石６（磁性部材）が取り付けられている。磁石６は、ヨーク７の角部に合わせて上面視略台形状に形成され、内壁部７４の壁面に対して平行な磁極面を有している。ヨーク７の四隅においては、磁石６と内壁部７４との間にコイル５９が配置される。
【００２５】
そして、ヨーク７と磁石６とにより磁気回路が形成され、コイル５９が通電されることにより、レンズ保持部材５が光軸方向に駆動される。また、ヨーク７の下部は、ロアケース２の金属プレート２５に接合される縁部７５が形成されている。ヨーク７の上壁部７１の四隅には、トップカバー９の取付用の挿通孔７６が形成されている。
【００２６】
上板バネ８は、リン青銅等によって形成され、ヨーク７の窓部７２よりも小径な開口部８１を有している。上板バネ８は、径方向外側に位置する外側板部８２と、径方向内側に位置する内側板部８３と、外側板部８２及び内側板部８３を接続する蛇行状のバネ板部８４とを有している。外側板部８２には、ヨーク７の挿通孔７６に対応して挿通孔８５が形成されている。また、内側板部８３は、筒状部５２の上端面に接着剤により固定される。上板バネ８のバネ板部８４は、レンズ保持部材５に対してロアケース２側に向けて付勢力を作用させている。
【００２７】
トップカバー９は、合成樹脂により矩形枠状に形成されている。トップカバー９の四隅には、下面から突出する上板バネ８の固定用の突起部９１が形成されている。トップカバー９は、上板バネ８の挿通孔８５及びヨーク７の挿通孔７６に突起部９１を挿通させた状態で、突起部９１の熱カシメにより、上板バネ８及びヨーク７と一体化される。なお、レンズ駆動装置１の組み立て作業の詳細については後述する。
【００２８】
ここで、図３及び図４を参照して、バネ片とフープ材との切り離しについて説明する。図３は、本実施の形態に係るバネ片からフープ材を切り離す前のロアケース及びバネ片の平面模式図である。図４は、本実施の形態に係るバネ片からフープ材を切り離した後のロアケース及びバネ片の平面模式図である。なお、図３Ａ及び図４Ａは上面模式図を示し、図３Ｂ及び図４Ｂはそれぞれ図３Ａ及び図４Ａを対角線上で切断した場合の断面模式図を示す。なお、図３及び図４では説明の便宜上、バネ片に固定されたレンズ保持部材については省略している。
【００２９】
図３に示すように、一対のバネ片４１は、フープ材９３（枠体）に連結された状態で供給されており、ロアケース２に固定された後にフープ材９３から切り離されている。一対のバネ片４１の外側板部４２は、ロアケース２の外側面に沿って延在する細長の直線部６６と、直線部６６の両端においてロアケース２に固定される一対の固定片６７とを有している。一対の固定片６７は、ロアケース２の対角線を横切るように斜めに延在しており、直線部６６側の略半部においてロアケース２の突起部２４に熱カシメによって固定されている。また、一対の固定片６７には、蛇行状のバネ板部４４を介して内側板部４３に連結されている。
【００３０】
一方の固定片６７の先端側は、開口部６８が形成されており、外部端子３１の上板部３２上に位置している。この固定片６７は、開口部６８の内縁部と外部端子３１との設置部分がレーザ溶接されることで、外部端子３１に電気的に接続される。すなわち、一方の固定片６７は、ロアケース２に対する固定位置から外部端子３１に向って延在し、外部端子３１に接続される接合片となっている。また、各固定片６７は、ロアケース２の略対角線上に延在する繋ぎ部６９を介してフープ材９３に連結されている。
【００３１】
繋ぎ部６９の下方には、ロアケース２の４隅に露出した金属プレート２５が位置している。ロアケース２の外縁部は、ヨーク７の外周壁部７３の下端部に対応して段状に形成されている。下段部２６は、金属プレート２５の上面９４と面一であり、金属プレート２５と共にヨーク７を支持する。上段部２７は、ロアケース２の四隅において、繋ぎ部６９の固定片６７側の根元部分を金属プレート２５の上方に浮かせるようにロアケース２の開口部２１側に入り込んで形成されている。このように、ロアケース２の四隅において、上段部２７にバネ片４１を支持し、下段部２６から金属プレート２５を露出させることにより、金属プレート２５の上面９４から上方に離間した位置に繋ぎ部６９が位置付けられる。
【００３２】
図４に示すように、このバネ片４１は、金属プレート２５の上方において、レーザカットによりフープ材９３から切り離される。このレーザカットにおいては、繋ぎ部６９の根元部分に対して上方からレーザ光線が照射されることで、金属プレート２５の上方に切断部位としての切断面７７（レーザカット面）が形成される。この場合、レーザ光線の照射方向の延長線上には金属プレート２５が位置しているため、レーザ光線がロアケース２の樹脂成形部分に照射されることがない。よって、ロアケース２が焦がされることがなく、レーザカットによってロアケース２に発塵源が形成されることがない。
【００３３】
また、ロアケース２は、金属プレート２５の下面９５を下方空間に露出させるように形成されている。すなわち、金属プレート２５の下面９５において照射方向の延長線上に位置する部分は、ロアケース２の樹脂成形部分に非接触となっている。このため、レーザカット時にレーザ光線によって金属プレート２５が加熱された場合であっても、下面９５からロアケース２の樹脂成形部分に熱が伝わりにくくなり、ロアケース２を焦がすことがない。よって、金属プレート２５に伝わる熱によってロアケース２に発塵源が形成されることが抑制される。このような構成により、発塵源からの異物がイメージセンサ上に入り込むことが抑制される。
【００３４】
また、バネ片４１と金属プレート２５とが離間されているため、繋ぎ部６９のレーザカットによって生じる熱により、バネ片４１と金属プレート２５とが接合することがない。よって、ヨーク７が金属プレート２５を介してバネ片４１に導通することを防止することができる。また、バネ片４１は、繋ぎ部６９の根元部分でフープ材９３から切り離されるため、固定片６７の残存する切断痕７８を短くして、切断痕７８をヨーク７の内側に収めている。さらに、本実施の形態においては、ロアケース２にバネ片４１を固定した状態で、フープ材９３からバネ片４１を切り離している。これにより、バネ片４１が、例えば３０［μｍ］程度の厚みしかない薄板であっても、切り離し時の反り（クセ）の発生を抑えて、一定の平坦度を維持している。
【００３５】
なお、本実施の形態では、バネ片４１に切断痕７８が形成される構成としたが、この構成に限定されない。レーザカットによってバネ片４１に形成される切断部位が金属プレート２５の上方に位置付けられていればよく、バネ片４１に切断痕７８が形成されなくてもよい。この場合であっても、レーザ光線の照射方向の延長線上には、ロアケース２から金属プレート２５が露出されるものとする。
【００３６】
次に、図５を参照して、レンズ駆動装置の組み立て作業について説明する。図５は、本実施の形態に係るレンズ駆動装置の組み立て作業の前半の説明図である。図６は、本実施の形態に係るレンズ駆動装置の組み立て作業の後半の説明図である。なお、以下の組み立て作業は、自動機によって自動で実施可能な作業である。
【００３７】
図５Ａに示すように、接着剤によってヨーク７の四隅の角部にそれぞれ磁石６が固定される。このとき、磁石６の磁極面は、ヨーク７の内壁部７４の壁面に対して所定の間隔を空けて対向される（図７参照）。次に、図５Ｂに示すように、ヨーク７の上面に上板バネ８が載置され、上方からトップカバー９が取り付けられる。このとき、トップカバー９の四隅の突起部９１が、それぞれ上板バネ８の四隅の挿通孔８５及びヨーク７の四隅の挿通孔７６に挿通される。そして、トップカバー９の各突起部９１が熱カシメされることで、トップカバー９、上板バネ８及びヨーク７が一体化される。
【００３８】
一方、図５Ｃに示すように、レンズ保持部材５の外周には、コイル５９が巻きつけられる。レンズ保持部材５に巻き付けられたコイル５９の両端部は、一対の絡げピン５７に巻き付けられる。この場合、コイル５９の両端部は、レーザ等により絶縁被膜が除去された後に巻き付けられる。
【００３９】
次に、図５Ｄに示すように、レンズ保持部材５の下部に一対のバネ片４１が取り付けられる。一対のバネ片４１は、繋ぎ部６９を介してフープ材９３に繋がれた状態でレンズ保持部材５に供給される。このとき、レンズ保持部材５の突起部５６が、それぞれ一対のバネ片４１の挿通孔４５に挿通される。そして、レンズ保持部材５の突起部５６が熱カシメされることで、レンズ保持部材５と一対のバネ片４１とが一体化される。また、絡げピン５７に巻回されたコイル５９の端部と一対のバネ片４１の内側板部４３とがレーザ半田付けされる。これにより、一対のバネ片４１とコイル５９の両端部とが電気的に接続される。
【００４０】
図６Ａに示すように、ロアケース２上にはコイル５９付きのレンズ保持部材５が載置され、一対のバネ片４１を介してロアケース２とレンズ保持部材５が取り付けられる。このとき、一対のバネ片４１の挿通孔４６に、ロアケース２の突起部２４が挿通され、突起部２４が熱カシメされることで、ロアケース２とレンズ保持部材５とが一体化される。また、一対のバネ片４１の固定片６７は、それぞれ外部端子３１の上板部３２にレーザ溶接により接合される。これにより、一対の外部端子３１とコイル５９の両端部とが、一対のバネ片４１を介してコイル５９の両端部に電気的に接続される。
【００４１】
次に、図６Ｂに示すように、レーザカットにより一対のバネ片４１からフープ材９３が切り離される。このとき、レーザ光線は、ロアケース２の４隅に位置する繋ぎ部６９の根元部分に向けて照射される。繋ぎ部６９の根元部分がロアケース２上に露出された金属プレート２５に対向しているため、レーザ光線がロアケース２の樹脂成形部分に照射されることがない。よって、ロアケース２の樹脂成形部分が焦げることがなく、発塵源の発生が防止される。このようにして、バネ片４１には、金属プレート２５から上方に離間して切断面７７（切断部位）が形成される。
【００４２】
一対のバネ片４１からフープ材９３が切り離されると、図６Ｃに示すように、トップカバー９付きのヨーク７が上方から被せられる。このとき、ヨーク７の内壁部７４が、レンズ保持部材５のコイル５９と筒状部５２との隙間に挿通される。これにより、ヨーク７の四隅において、磁石６と内壁部７４との間に内壁部７４が介在されて磁気回路が形成される。また、ヨーク７の縁部７５が、ロアケース２の金属プレート２５上に載置され、レーザ溶接によりロアケース２の４隅に位置する金属プレート２５に接合される。また、バネ片４１に残存した切断痕７８は、短く形成されるため、ヨーク７の外周壁部７３の内面に接触することがない。
【００４３】
そして、図６Ｄに示すように、筒状部５２の上端面と上板バネ８の内側板部８３とに対して、ヨーク７の窓部７２を介して接着剤が塗布される。これにより、ヨーク７及びトップカバー９とレンズ保持部材５とが、上板バネ８を介して連結される。このようにして、組み立てられたレンズ駆動装置１は、レンズ保持部材５の上下に設けられた板バネ４、８により、ロアケース２側に向けて付勢されている。そして、レンズ駆動装置１は、レンズ保持部材５の巻き付けられたコイル５９が通電されることで、板バネ４、８の付勢力に抗してレンズ保持部材５が光軸方向に移動される。
【００４４】
以下、図７を参照して、レンズ駆動装置の動作について説明する。図７は、本実施の形態に係るレンズ駆動装置の動作説明図である。
【００４５】
図７に示すように、ヨーク７の外周壁部７３の四隅に磁石６が固定され、磁石６の磁極面に対向して内壁部７４が位置されており、レンズ駆動装置１の四隅に磁気回路が形成される。磁石６と内壁部７４との間には、レンズ保持部材５に巻き付けられたコイル５９が介在されている。磁気回路は、磁石６の磁極面に発生した磁束線がコイル５９を通過して内壁部７４に向うように形成されている。レンズ保持部材５は、上板バネ８及び下板バネ４により、ロアケース２側にプリテンションが作用されている。
【００４６】
この初期状態で、コイル５９が通電されると、コイル５９に対して光軸方向に電磁力が発生する。このコイル５９に発生した電磁力により、レンズ保持部材５が、上板バネ８及び下板バネ４の付勢力に抗して光軸方向に移動し、不図示のレンズ体とイメージセンサとの焦点距離が調整される。この場合、ヨーク７の内壁部７４と磁石６の磁極面とが平行であるため、コイル５９を通過する磁束線の量が多く、磁気回路をレンズ駆動装置１の四隅にしか形成していなくても十分な駆動力を発生させることが可能となる。そして、コイル５９に対する通電が停止されると、上板バネ８及び下板バネ４の復帰力により、レンズ保持部材５が初期位置に引き戻される。
【００４７】
以上のように、本実施の形態に係るレンズ駆動装置１によれば、金属プレート２５の上方において下板バネ４からフープ材９３が切り離される。よって、レーザカットによってレーザ光線が金属プレート２５上に照射されるため、ロアケース２の樹脂成形部分の一部が焦げて発塵源が形成されることがない。また、ロアケース２上において、フープ材９３と下板バネ４とが切り離されるため、下板バネ４の切断痕７８を短くすることが可能である。
【００４８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４９】
例えば、本実施の形態においては、下板バネの繋ぎ部に対して真上からレーザ光線を照射する構成としたが、この構成に限定されない。レーザ光線の照射方向上に繋ぎ部と金属プレートとが位置すればよく、例えば、斜め上方からレーザ光線を照射してもよい。
【００５０】
また、本実施の形態においては、ロアケースの４隅においてレーザカットされる構成としたが、この構成に限定されない。金属プレート上で板バネからフープ材が切り離される構成であればよい。
【００５１】
また、本実施の形態においては、レーザカットによって下板バネからフープ材が切り離される構成としたが、この構成に限定されない。板バネからフープ材を焼き切る構成であればよく、例えば、ガス溶断により切り離す構成でもよい。
【００５２】
また、本実施の形態においては、金属プレートの上方において下板バネからフープ材が切り離される構成としたが、この構成に限定されない。下板バネ及びフープ材は、ロアケースに設けた金属部材の上方で切り離される構成であればよく、例えば外部端子上で切り離される構成としてもよい。この場合、外部端子に板バネを接触させた状態で、下板バネからフープ材を切り離してもよい。
【００５３】
また、本実施の形態においては、下板バネの切断位置に対向する金属プレートの下面が下方空間に露出される構成としたが、この構成に限定されるものではない。金属プレートの下面がロアケースの樹脂成形部分に接触していてもよい。なお、本実施の形態における下方空間とは、レンズ駆動装置の外部空間に限定されるものではなく、金属プレートの下面とロアケースの樹脂成形部分とを非接触とする空間であればよく、例えばロアケース内に形成される空間でもよい。
【００５４】
また、本実施の形態において、移動機構として磁石とヨークにより磁気回路を形成したが、この構成に限定されない。移動機構は、磁気回路を形成する構成であれば、どのような構成でもよい。
【００５５】
また、本実施の形態において、自動機によりレンズ駆動装置を組み立てる構成としたが、この構成に限定されない。手動によりレンズ駆動装置を組み立てる構成としてもよいし、自動機と手動とを組み合わせてレンズ駆動装置を組み立てる構成としてもよい。
【００５６】
また、本実施の形態において、上記した組み立て順序に限定されるものではない。本実施の形態では、下板バネと外部端子とを接合した後に、下板バネからフープ材を切り離す構成としたが、この構成に限定されない。下板バネをロアケースに固定した後に下板バネからフープ材を切り離す構成であればよい。例えば、下板バネをロアケースに固定した後であれば、下板バネからフープ材を切り離した後に、下板バネと外部端子を接合してもよい。
【００５７】
また、本実施の形態において、熱カシメによりバネ片がレンズ保持部材に固定されたが、この構成に限定されない。板バネをレンズ保持部材に固定可能であれば、どのような方法で固定してもよい。
【００５８】
また、本実施の形態においては、磁性部材として磁石を例示して説明したが、この構成に限定されない。磁性部材は、ヨークと共に磁気回路を形成すれば、どのようなものでもよい。
【符号の説明】
【００５９】
１  レンズ駆動装置
２  ロアケース（ベース部材）
４  下板バネ（板バネ）
５  レンズ保持部材
６  磁石（磁性部材）
７  ヨーク
８  上板バネ
９  トップカバー
２５  金属プレート（金属部材）
３１  外部端子
４１  バネ片（板バネ）
５９  コイル
６９  繋ぎ部
７７  切断面（切断部位）
７８  切断痕
９３  フープ材（枠体）
９４  上面
９５  下面
【図１】
0005153917.tif 000002
【図２】
0005153917.tif 000003
【図３】
0005153917.tif 000004
【図４】
0005153917.tif 000005
【図５】
0005153917.tif 000006
【図６】
0005153917.tif 000007
【図７】
0005153917.tif 000008